(57)【要約】【課題】自動販売装置における釣銭補充を迅速に行うことができるようにする。【解決手段】本発明に係るプリントベンダー１によれば、金銭管理装置１５に格納されている釣銭準備金が不足し釣銭切れとなると、表示装置１２に釣銭切れガイダンスが表示され、店員呼び出し信号が発信される。入力装置１１から正当な暗証番号が入力されると、プリントベンダー１はメンテナンスモードへ切換えられ、投入された金銭が釣銭準備金として金銭管理装置１５に格納され、投入金銭分の金種別カウント値が更新され、釣銭切れが解消すると、運用モードに切換えられる。【選択図】図２
2005141382.tif 000002
【特許請求の範囲】
【請求項１】
購入希望の商品を選択するための選択手段と、
金銭を格納し管理する金銭管理手段と、
前記選択手段により選択された商品の価格以上の金銭が投入口から投入されると、その選択された商品を提供する提供手段と、
前記金銭管理手段に格納されている釣銭準備金から前記商品の価格を超えて投入された金額分の金銭を放出する放出手段と、
前記金銭管理手段において格納されている釣銭準備金が所定金額以下となった場合に、前記選択手段により商品が選択されることなく投入口から金銭が投入されると、その投入された金銭により釣銭準備金の補充を行う機能に切換える制御手段と、
を備えたことを特徴とする自動販売装置。
【請求項２】
更に、暗証番号を入力する暗証番号入力手段を備え、前記制御手段は、入力された暗証番号と予め設定された暗証番号との比較結果に応じて、投入口から投入された金銭により釣銭準備金の補充を行う機能に切換えるように構成したことを特徴とする請求項１に記載の自動販売装置。
【請求項３】
投入口から投入された金銭を前記金銭管理手段に格納されている釣銭準備金により両替する動作への切換えを指示する指示手段を備え、
前記制御手段は、前記指示手段により、投入口から投入された金銭を両替する動作への切換えが指示された際に、前記釣銭準備金で両替が可能か否かを判断し、両替が可能ではない場合に、入力された暗証番号と予め設定された暗証番号との比較結果に応じて、投入口から投入された金銭により釣銭準備金の補充を行う機能に切換えることを特徴とする請求項１〜２の何れか一項に記載の自動販売装置。
【請求項４】
前記制御手段は、投入口から投入された金銭により金銭準備金の補充を行う機能に切換え後、投入口から投入された金銭の金額が前記金銭管理手段に格納された他の金種で両替可能となった場合に、前記投入された金額分の他の金種を返却するように制御することを特徴とする請求項１〜３の何れか一項に記載の自動販売装置。
【請求項５】
コンピュータに、
購入希望の商品を選択するための機能と、
金銭を格納し管理する機能と、
前記選択された商品の価格以上の金銭が投入口から投入されると、その選択された商品を提供し、前記格納されている釣銭準備金から前記商品の価格を超えて投入された金額分の金銭を放出する機能と、
前記格納されている釣銭準備金が所定金額以下となった場合に、商品が選択されることなく投入口から金銭が投入されると、その投入された金銭により釣銭準備金の補充を行う機能に切換える機能と、
を実現させるためのプログラム。                                               
【発明の詳細な説明】
【技術分野】
【０００１】
本発明は、商品を選択してから料金を投入する自動販売装置に関する。
【背景技術】
【０００２】
従来、自動販売機においては、例えば、特許文献１に記載されているように、自動販売機の筐体内に釣銭を格納する現金箱が備えられており、釣銭が足りなくなったときに、係員が筐体の扉を開放して現金箱を筐体から取り出して釣銭の補充を行っている。
【特許文献１】特開平７−２８２３４０号公報
【発明の開示】
【発明が解決しようとする課題】
【０００３】
しかしながら、係員が鍵を使用して自動販売機の筐体の扉を開き、筐体内部の現金箱を取り出して金銭を補充して釣銭設定を行い、現金箱を元の位置に格納して扉を閉じ、鍵を閉めるという釣銭補充の作業は、非常に煩雑なものであった。
【０００４】
本発明の課題は、自動販売装置における釣銭補充を迅速に行うことができるようにすることである。
【課題を解決するための手段】
【０００５】
上記課題を解決するため、請求項１に記載の発明は、購入希望の商品を選択するための選択手段と、金銭を格納し管理する金銭管理手段と、前記選択手段により選択された商品の価格以上の金銭が投入口から投入されると、その選択された商品を提供し、前記金銭管理手段に格納されている釣銭準備金から前記商品の価格を超えて投入された金額分の金銭を放出する放出手段と、前記金銭管理手段において格納されている釣銭準備金が所定金額以下となった場合に、前記選択手段により商品が選択されることなく投入口から金銭が投入されると、その投入された金銭により釣銭準備金の補充を行う機能に切換える制御手段とを備えたことを特徴としている。
【０００６】
請求項５に記載の発明は、コンピュータに、購入希望の商品を選択するための機能と、金銭を格納し管理する機能と、前記選択された商品の価格以上の金銭が投入口から投入されると、その選択された商品を提供し、前記格納されている釣銭準備金から前記商品の価格を超えて投入された金額分の金銭を放出する機能と、前記格納されている釣銭準備金が所定金額以下となった場合に、前記商品が選択されることなく投入口から金銭が投入されると、その投入された金銭により釣銭準備金の補充を行う機能に切換える機能と、を実現させるためのプログラムであることを特徴としている。
【発明の効果】
【０００７】
請求項１、５に記載の発明によれば、選択された商品の価格以上の金銭が投入口から投入されると、その選択された商品を提供し、格納されている釣銭準備金から商品の価格を超えて投入された金額分の金銭を放出するものにおいて、格納されている釣銭準備金が所定金額以下となった場合に、商品が選択されることなく投入口から金銭が投入されると、その投入された金銭により釣銭準備金の補充を行う機能に切換えることができるため、投入口から金銭を投入するだけで釣銭補充を行うことができ、釣銭補充を迅速に行うことができる。
【０００８】
請求項２に記載の発明によれば、暗証番号を入力する暗証番号入力手段を備え、入力された暗証番号と予め設定された暗証番号との比較結果に応じて、投入口から投入された金銭により釣銭準備金の補充を行う機能に切換えるので、投入口から投入された金銭が誤って釣銭準備金に補充されてしまうことを防止することができる。
【０００９】
請求項３に記載の発明によれば、投入口から投入された金銭を金銭管理手段に格納されている釣銭準備金により両替する動作への切換えを指示する指示手段を備え、指示手段により、投入口から投入された金銭を両替する動作への切換えが指示された際に、釣銭準備金で両替が可能か否かを判断し、両替が可能ではない場合に、入力された暗証番号と予め設定された暗証番号との比較結果に応じて、投入口から投入された金銭により釣銭準備金の補充を行う機能に切換える。従って、投入口から金銭を投入することで簡単に釣銭準備金を補充することができるので、釣銭準備金を利用した両替サービスを容易に提供することができる。
【００１０】
請求項４に記載の発明によれば、投入口から投入された金銭により金銭準備金の補充を行う機能に切換え後、投入口から投入された金銭の金額が金銭管理手段に格納された他の金種で両替可能となった場合に、投入された金額分の他の金種を返却する。従って、他の金種が十分に釣銭準備金として格納されていれば、釣銭補充のために新規の金額を用意する必要がなくなる。
【発明を実施するための最良の形態】
【００１１】
(実施形態１）
以下、図を参照して本発明の実施形態１について詳細に説明する。
まず、構成を説明する。
図１に、本発明の全体構成及び本発明に係るプリントベンダー１の外観を示す。図１に示すように、プリントベンダー１には、操作パネル１１ａ、表示パネル１２ａ、端末接続部１４ａ、金銭投入口１５ａ、金銭返却口１５ｂ、印刷物取出口１６ａ、記録媒体挿入口１８ａ〜１８ｄが設けられている。
【００１２】
プリントベンダー１は、例えば、写真店や街角等に設置され、記録媒体挿入口１８ａ〜１８ｄに挿入された記録媒体３を介してデジタルカメラ、カメラ付き携帯電話機、ＰＣ（Personal Computer）、ＰＤＡ（Personal Digital Assistants）等の、画像データを含むファイルを記録した画像記録装置２からファイルを取り込んで、選択された画像を有償にてプリントして出力する自動販売機（自動販売装置）である。画像記録装置２からのファイルの取込みは、端末接続部１４ａに接続された通信ケーブルを介して行うようにしてもよい。
【００１３】
図２にプリントベンダー１の機能的構成を示す。図２に示すように、プリントベンダー１は、ＣＰＵ１０、入力装置１１、表示装置１２、ＲＡＭ１３、伝送制御部１４、金銭管理装置１５、印刷装置１６、記録装置１７、記録媒体接続部１８、店員呼出装置１９等により構成され、各装置、各部はバス２０により接続されている。
【００１４】
ＣＰＵ（Central Processing Unit）１０は、記録装置１７に記憶されているシステムプログラムを読み出し、ＲＡＭ１３内に形成されたワークエリアに展開し、該システムプログラムに従って各装置、各部を制御する。また、ＣＰＵ１０は、記録装置１７に記憶されている画像印刷販売処理プログラムを始めとする各種処理プログラムを読み出してワークメモリに展開し、後述する画像印刷販売処理等を始めとする各種処理を実行し、それらの処理結果をＲＡＭ１３のワークエリアに記憶する。そして、ワークエリアに格納した処理結果を記録装置１７内の指定の保存先に保存させる。
【００１５】
入力装置１１は、ＬＣＤ（Liquid Crystal Display）から成る操作パネル１１ａ等により構成され、ＣＰＵ１０から入力される表示信号の指示に従って表示画面上に、表示装置１２に表示された各種選択画面に応じた各種操作ボタンの表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０に出力する。
【００１６】
表示装置１２は、ＬＣＤ（Liquid Crystal Display）等からなる表示パネル１２ａにより構成され、ＣＰＵ１０から入力される表示信号の指示に従って、表示パネル１２ａの画面上に、各種画面を表示する。
【００１７】
ＲＡＭ（Random Access Memory）１３は、ＣＰＵ１０により実行されるシステムプログラム、各種処理プログラム、各処理において処理中のデータ、処理結果などを一時的に記憶するワークエリアを形成する。
【００１８】
伝送制御部１４は、端末接続部１４ａに差し込まれた通信ケーブルにより画像記録装置２との間でデータ送受信を行い、受信データをＣＰＵ１０に出力する。
【００１９】
金銭管理装置１５は、金銭の金種の識別、枚数のカウント等を行うコインメック（硬貨自動払い出し装置）及びビルバリ（紙幣識別装置）等を備え、金銭の金種の識別、金種毎の枚数のカウント、売上金・釣銭準備金の格納、釣銭や払い出し金の放出等を行う。
【００２０】
印刷装置１６は、単数あるいは複数のプリンタを備え、伝送制御部１４を介して、或いは記録媒体接続部１８を介して入力されたファイルとその出力様式に応じて変調した光ビームで感光材料（印画紙、シール）を走査露光して潜像を記録し、露光済みの感光材料に湿式の現像処理や乾燥処理を施して、仕上がりプリントとしてプリント受取口１６ａに出力する。また、印刷装置１６には、レシートを印刷するレシート印刷用紙が含まれる。
【００２１】
記録装置１７は、プリントベンダー１に対応するシステムプログラム、画像印刷販売処理プログラムを始めとする各種処理プログラム、各種データ等が予め記憶されており、この記録装置１７は、磁気的、光学的記録媒体、若しくは半導体メモリなどＣＰＵ１０で読取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、プリントベンダー１をモデム、ＴＡ（Terminal Adapter）やルータ等により構成される通信制御部を備える構成とし、記録媒体に格納するプログラム、データ等の一部若しくは全部をサーバやクライアントからＷＡＮ（Wide Area Network）、ＬＡＮ（Local Area Network）などのネットワークを介して受信する構成にしてもよく、更に、記録媒体はネットワーク上に構築されたサーバやクライアントの記録媒体であってもよい。
【００２２】
記録媒体接続部１８は、例えば、フラッシュメモリカードの挿入口１８ａ、スマートメディアカードの挿入口１８ｂ、メモリースティックの挿入口１８ｃ、フロッピー（登録商標）ディスクの挿入口１８ｄの各挿入口に挿入された可搬型記録媒体とデータの入出力を行うためのインターフェースである。なお、記録媒体としては、上述したものに限定されず、例えば、ＳＤカード（Secure Digital memory card）、ＰＣカード、ＭＯ（magneto-optic）等を装着可能な構成としてもよい。
【００２３】
店員呼出装置１９は、ＣＰＵ１０からの指示に基づいて、店員呼び出し信号を発信する。例えば、ＣＰＵ１０からの指示に基づいて、店員が所有するアラームに対してアラーム発信信号を発信する。
【００２４】
次に、実施形態１における動作を説明する。
図３に、ＣＰＵ１０により実行される画像印刷販売処理を示す。以下、図３を参照して印刷販売処理について説明する。なお、本処理は、一定時間毎に割り込み処理されるものである。
【００２５】
ステップＳ１において、記録媒体接続部１８に記録媒体３が挿入されたことが認識されると（ステップＳ１；ＹＥＳ）、表示装置１２に印刷方法（サイズ、枚数等）や印刷する画像の選択画面が表示され、入力装置１１により印刷方法、印刷する画像が選択入力されると（ステップＳ２、３）、選択された画像のデータが記録媒体３から取り込まれるとともに（ステップＳ４）、印刷する画像の枚数、サイズ等に基づいて料金が累計される（ステップＳ５）。入力装置１１により印刷画像の確認入力がなされるまで、ステップＳ３〜Ｓ５が繰り返し実行される。
【００２６】
入力装置１１により印刷画像の確認入力がなされると（ステップＳ６；ＹＥＳ）、表示装置１２に、累計した料金金額が表示されるとともに、金銭投入要求が表示される（ステップＳ７）。金銭投入口１５ａから金銭が投入されると（ステップＳ８）、金銭管理装置１５において投入金銭が識別されて投入金額が累計され（ステップＳ９）、投入金額分の金種別カウント値が加算される（ステップＳ１０）。投入金額が料金に対して不足している場合（ステップＳ１１；ＹＥＳ）、表示装置１２に投入金額不足のガイダンスが表示され（ステップＳ１２）、入力装置１１によりキャンセルが入力指示されなければ処理はステップＳ７に戻り、ステップＳ７〜Ｓ１２が繰り返し実行される。入力装置１１によりキャンセルが入力指示されると（ステップＳ１３；ＹＥＳ）、金銭管理装置１５により投入金銭の払い出しが行われ（ステップＳ１４）、払い出し金銭分の金種別カウント値が減算され、本処理は終了する（ステップＳ１５）。
【００２７】
一方、投入金額に不足がない場合は（ステップＳ１１；ＮＯ）、金銭管理装置１５において、図４に示す取引処理が実行され（ステップＳ１６）、印刷装置１６により印刷物が印刷されて印刷物取出口１６ａから出力されることにより、印刷物の提供が行われ（ステップＳ１７）、本処理は終了する。
図４に、ＣＰＵ１０により実行される取引処理を示す。以下、図４を参照して取引処理について説明する。
【００２８】
金銭投入口１５ａからの投入金額が料金と一致した場合（ステップＳ１０１；ＹＥＳ）、処理は図３のＳ１７に移行する。金銭投入口１５ａからの投入金額が料金と一致しない場合は（ステップＳ１０１；ＮＯ）、料金と投入金額から釣銭の金額が算出され（ステップＳ１０２）、金銭管理装置１５により釣銭の金種及び各金種の釣銭金額が特定され（ステップＳ１０３）、金種毎に金銭管理装置１５に格納されている釣銭準備金の金額が求められ、求められた金額が所定金額を超えており、釣銭の不足が生じていない場合は（ステップＳ１０４；ＮＯ）、釣銭の払い出し（放出）が行われ（ステップＳ１０６）、払い出した金銭分の金種別のカウント値が減算され（ステップＳ１０７）、処理は図３のステップＳ１７に移行する。
【００２９】
一方、求められた釣銭準備金の金額が所定金額以下であり、釣銭の不足が生じた場合は（ステップＳ１０４；ＹＥＳ）、釣銭切れの金種について、代替金種があるか否か（例えば、１００円が釣銭切れであるが、１０円１０枚、５０円２枚等の代替金種があるか否か）が判断され、代替金種がある場合（ステップＳ１０５；ＹＥＳ）、釣銭の払い出し（放出）が行われ（ステップＳ１０６）、払い出した金銭分の金種別のカウント値が減算され（ステップＳ１０７）、処理は図３のステップＳ１７に移行する。代替金種がない場合は（ステップＳ１０５；ＮＯ）、表示装置１２に釣銭切れのため取引不可であることがガイダンス表示され（ステップＳ１０８）、金銭管理装置１５により投入金額が払い出され（ステップＳ１０９）、払い出した金銭分の金種別のカウント値が減算され（ステップＳ１１０）、当該取引処理及び画像印刷販売処理は終了する。なお、釣銭切れが生じた際に代替金種がない場合、表示装置１２に画像枚数の変更を促すガイダンスを表示し、再度画像の選択を入力させるステップへ移行するようにしてもよいし、投入する金種の変更を促すガイダンスを表示装置１２に表示するようにしてもよい。
【００３０】
図３のステップＳ１において、記録媒体接続部１８に記録媒体３が挿入されたことが認識されない場合（ステップＳ１；ＮＯ）、金銭管理装置１５において、各金種の釣銭準備金の金額が求められ、釣銭準備金が所定金額を超えており、釣銭切れではない場合（ステップＳ１８；ＮＯ）、本処理は終了する。釣銭準備金が所定金額以下であり、釣銭切れの金種がある場合（ステップＳ１８；ＹＥＳ）、図５に示す釣銭補充処理が実行され（ステップＳ１９）、本処理は終了する。
【００３１】
以下、図５を参照してＣＰＵ１０により実行される釣銭補充処理について説明する。
釣銭切れの金種について、代替金種がある場合（例えば、１００円が釣銭切れであるが、１０円が１０枚、５０円が２枚で代替できる場合）（ステップＳ１２１；ＹＥＳ）、本処理及び画像印刷販売処理は終了する。代替金種がない場合（ステップＳ１２１；ＮＯ）、表示装置１２に釣銭切れガイダンスが表示され（ステップＳ１２２）、店員呼び出しが発信され（ステップＳ１２３）、表示装置１２に暗証番号入力要求が表示される（ステップＳ１２４）。入力装置１１により暗証番号が入力されると（ステップＳ１２５；ＹＥＳ）、店員呼び出しが停止され（ステップＳ１２６）、入力された暗証番号が、予め設定されている複数の店員の夫々と対応する暗証番号（図示省略）のいずれかと一致することで正当な番号であると判別された場合（ステップＳ１２７；ＹＥＳ）、画像の印刷を行う運用モードから釣銭の補充を行うメンテナンスモードへ切換えられる（ステップＳ１２９）。入力された暗証番号が正当な番号でないと判別された場合は（ステップＳ１２７；ＮＯ）、表示装置１２に暗証番号のエラーが表示され（ステップＳ１２８）、本処理は終了する。ここで、暗証番号は釣銭補充を許可された店員を識別するための情報であり、正当な暗証番号はメンテナンスモードへの切換え許可制御信号となる。この切換え許可制御信号が入力されてからメンテナンスモードへ切換えることで、誤って画像の選択前に投入された金銭が釣銭準備金に補充されてしまうことを防止することができる。切換え許可制御信号としては、暗証番号に限らず、例えば、指紋等の生態情報等を用いてもよい。
【００３２】
メンテナンスモードにおいて、金銭が投入されると（ステップＳ１３０）、投入された金銭が釣銭準備金として金銭管理装置１５に格納され、投入金銭分の金種別カウント値が更新される（ステップＳ１３１）。釣銭切れが解消されるまでステップＳ１３０〜１３１が繰り返し実行され、釣銭切れが解消されると（ステップＳ１３２；ＹＥＳ）、釣銭切れガイダンスが停止され（ステップＳ１３３）、運用モードへ切換えられ（ステップＳ１３４）、本処理は終了する。
【００３３】
以上説明したように、本発明に係るプリントベンダー１によれば、金銭管理装置１５に格納されている釣銭準備金が不足し釣銭切れとなると、表示装置１２に釣銭切れガイダンスが表示され、店員呼び出し信号が発信される。入力装置１１から正当な暗証番号が入力されると、プリントベンダー１はメンテナンスモードへ切換えられ、投入された金銭が釣銭準備金として金銭管理装置１５に格納され、投入金銭分の金種別カウント値が更新され、釣銭切れが解消すると、運用モードに切換えられる。
【００３４】
従って、釣銭切れが生じた後に、商品（画像）が選択されることなく金銭投入口１５ａから金銭が投入されると、投入された金銭が金銭管理装置１５に釣銭準備金として格納されるので、金銭投入口１５ａから金銭を投入するだけで簡単に金銭を補充することができる。その結果、従来のように、釣銭切れが生じた際に釣銭を補充するために、店員が鍵を使用してプリントベンダー１の扉を開け、内部のコインメック、ビルバリを取り出し、コインメック、ビルバリに金銭を補充して釣銭設定を行い、コインメック、ビルバリを戻して扉、鍵を閉めるという煩雑な作業を行う必要がなくなり、釣銭補充を迅速に行うことができる。
【００３５】
（実施形態２）
以下、図を参照して本発明の実施形態２について説明する。本実施形態は、実施形態１において説明したプリントベンダー１において、更に、釣銭準備金を用いて両替サービスを行うものである。
なお、本実施形態におけるプリントベンダー１の構成は、図１、２で説明したのと同様であるので説明を省略し、以下、本実施形態の動作について説明する。
【００３６】
図６に、ＣＰＵ１０により実行される金銭両替処理を示す。この処理により、プリントベンダー１は、ユーザからの要求に応じて、金銭の両替を行うことができる。
以下、図６を参照して、金銭両替処理について説明する。なお、本処理は、ユーザが金銭投入口１５ａより両替対象金銭を投入し、入力装置１１により両替モードへの切換えを指示することでスタートする処理である。なお、金銭が投入された時点で、金種別カウント値が加算されているものとする。
【００３７】
金銭管理装置１５に格納されている釣銭準備金が金銭投入口１５ａから入力された金銭に対する両替金として不足しているか否かが判断され、不足していない場合（ステップＳ２１；ＮＯ）、両替処理が行われて両替金が払い出しされるとともに（ステップＳ２２）、払い出しした両替金銭分の金種別カウント値が減算され（ステップＳ２３）、本処理は終了する。なお、ステップＳ２１の釣銭準備金が両替金として不足しているか否かの判断は、代替金種がある場合には、不足していないものとみなして判断する。例えば、１００円を両替対象金銭として投入した場合、釣銭準備金として１０円が１０枚ある場合であっても、５０円が２枚ある場合であっても、両替金不足ではないと判断される。
【００３８】
一方、釣銭準備金が両替金として不足していると判断された場合（ステップＳ２１；ＹＥＳ）、表示装置１２に釣銭切れガイダンスが表示され（ステップＳ２４）、店員呼び出しが発信され（ステップＳ２５）、表示装置１２にメンテナンスモードへの切換え許可信号としての暗証番号入力要求が表示される（ステップＳ２６）。入力装置１１によりキャンセル指示が入力されると（ステップＳ２７；ＹＥＳ）、店員呼び出しと暗証番号要求が停止され（ステップＳ２８）、投入金銭の払い出しが行われ（ステップＳ２９）、払い出し金銭分の金種別カウント値が減算され（ステップＳ３０）、処理はステップＳ３９へ移行する。入力装置１１よりキャンセルが指示されることなく（ステップＳ２７；ＮＯ）、暗証番号が入力されると（ステップＳ３１；ＹＥＳ）、店員呼び出しが停止され（ステップＳ３２）、入力された暗証番号が、予め設定されている複数の店員の夫々と対応する暗証番号（図示省略）のいずれかと一致することで正当な番号であると判別された場合（ステップＳ３３；ＹＥＳ）、画像の印刷を行う運用モードから釣銭の補充を行うメンテナンスモードへ切換えられる（ステップＳ３５）。入力された暗証番号が正当な番号でないと判別された場合は（ステップＳ３３；ＮＯ）、表示装置１２に暗証番号のエラーが表示され（ステップＳ３４）、処理はステップＳ３９に移行する。
【００３９】
メンテナンスモードにおいて、金銭が投入されると（ステップＳ３６；Ｙ）、投入された金銭が釣銭準備金として金銭管理装置１５に格納され、投入金銭分の金種別カウント値が加算される（ステップＳ３７）。釣銭切れが解消されるまでステップＳ３６〜３７が繰り返し実行され、釣銭切れが解消されると（ステップＳ３８；ＹＥＳ）、釣銭切れガイダンスが停止され（ステップＳ３９）、運用モードへ切換えられ（ステップＳ４０）、本処理は終了する。
【００４０】
以上説明したように、本発明に係るプリントベンダー１によれば、入力装置１１からの指示により両替モードに移行し、投入された金銭に対する両替金が金銭管理装置１５に釣銭準備金として格納されている場合、両替金が払い出され、両替金銭分の金種別カウント値が減算される。金銭管理装置１５に格納されている釣銭準備金が不足し両替が不可能な場合は、表示装置１２に釣銭切れガイダンスが表示され、店員呼び出し信号が発信される。入力装置１１から正当な暗証番号が入力されると、プリントベンダー１はメンテナンスモードへ切換えられ、投入された金銭が釣銭準備金として金銭管理装置１５に格納され、投入金銭分の金種別カウント値が更新され、釣銭切れが解消すると、運用モードに切換えられる。
【００４１】
従って、金銭投入口から金銭を投入することにより簡単に金銭を補充することができるので、プリントベンダー１において、顧客に対して、釣銭準備金を利用した両替サービスを容易に提供することができる。
【００４２】
なお、上記実施形態１、２における記述内容は好適な一例であり、これに限定されるものではない。
例えば、上記実施形態においては、釣銭切れガイダンスは表示装置１２に表示させることとしたが、釣銭切れランプ等を備える構成とし、釣銭切れの際に点灯させるようにしてもよい。また、音声により釣銭切れガイダンスを行ってもよい。
【００４３】
また、上記実施形態においては、金銭管理装置１５において、投入された金銭及び払い出しされた金銭を金種毎にカウントすることにより釣銭準備金の額を求めることとしたが、これに限定されず、例えば、金種毎に機械的センサで高さを検出することにより求める構成としてもよいし、重量により求める構成としてもよい。
【００４４】
また、釣銭切れが生じた金種について、他の金種で両替可能な枚数が投入された場合、両替可能な金額分の他の金種を返却するようにしてもよい。例えば、１０円が釣銭切れを起こしており、１０円を５枚補充した場合、釣銭準備金として５０円が所定枚数以上用意されている場合は、５０円を１枚返却する。これにより、釣銭補充のために新規の金額を用意する必要がなくなる。
【００４５】
また、上記実施形態においては、本発明をプリントベンダー１に適用した例を示したが、商品を選択してから金銭を投入する自動販売機全般に適用することができる。
【００４６】
その他、プリントベンダー１の細部構成及び細部動作に関しても、本発明の趣旨を逸脱することのない範囲で適宜変更可能である。
【図面の簡単な説明】
【００４７】
【図１】本発明の一実施形態における全体構成及び本発明に係るプリントベンダー１の外観を示す図である。
【図２】図１のプリントベンダー１の機能的構成を示すブロック図である。
【図３】図２のＣＰＵ１０により実行される画像印刷販売処理を示すフローチャートである。
【図４】図２のＣＰＵ１０により実行される取引処理を示すフローチャートである。
【図５】図２のＣＰＵ１０により実行される釣銭補充処理を示すフローチャートである。
【図６】図２のＣＰＵ１０により実行される金銭両替処理を示すフローチャートである。
【符号の説明】
【００４８】
１    プリントベンダー
２    画像記録装置
３    記録媒体
１０    ＣＰＵ
１１    入力装置
１２    表示装置
１３    ＲＡＭ
１４    伝送制御部
１５    金銭管理装置
１６    印刷装置
１７    記録装置
１８    記録媒体接続部
１９    店員呼出装置
２０    バス
【図１】
2005141382.tif 000003
【図２】
2005141382.tif 000004
【図３】
2005141382.tif 000005
【図４】
2005141382.tif 000006
【図５】
2005141382.tif 000007
【図６】
2005141382.tif 000008